(57)【要約】【課題】照明器具としての利便性に優れ、しかも画像を鮮明に表示できるプロジェクタを提供する。【解決手段】携帯型電灯５を取り外し可能に装着するための装着部２を備え、装着部２に装着した携帯型電灯５からの光を用いて画像を投射可能に構成されている。これにより、液晶パネル等を移動させることなく、装着部２から携帯型電灯５を取り外すだけで携帯型電灯５を単独で照明器具として使用することができる。したがって、携帯型電灯５を照明器具として使用する際に液晶パネル等を移動させる必要がないため、このプロジェクタ１によって画像を表示する際には、液晶パネル等ががたつくおそれがない結果、装着部２に装着した携帯型電灯５からの光を用いて鮮明な映像を表示することができる。【選択図】図１
2006162831.tif 000002
【特許請求の範囲】
【請求項１】
携帯型電灯を取り外し可能に装着するための装着部を備え、当該装着部に装着した前記携帯型電灯からの光を用いて画像を投射可能に構成されているプロジェクタ。
【請求項２】
前記装着部に装着可能な前記携帯型電灯を備えている請求項１記載のプロジェクタ。
【請求項３】
前記装着部は、入り口側よりも奥側が狭いテーパ状の挿入孔を形成する壁部を備え、当該入り口側から圧入される前記携帯型電灯を当該壁部で保持可能に構成されている請求項１または２記載のプロジェクタ。
【請求項４】
前記装着部は、前記携帯型電灯を圧入可能な筒状に形成されると共に当該携帯型電灯の圧入によって当該装着部を拡径させるスリットが形成されている請求項３記載のプロジェクタ。
【請求項５】
前記装着部は、前記携帯型電灯に当接する当接部が弾性体で構成されている請求項１から３のいずれかに記載のプロジェクタ。
【請求項６】
前記携帯型電灯からの光を透過可能に構成された防塵カバーが前記装着部と投射光学系との間に配設されている請求項１から５のいずれかに記載のプロジェクタ。
【発明の詳細な説明】
【技術分野】
【０００１】
本発明は、照明器具としての利用が可能に構成されたプロジェクタに関するものである。
【背景技術】
【０００２】
この種のプロジェクタとして、スクリーンに映像を表示可能に構成されると共に、ビデオライトや懐中電灯等（以下、「照明器具」ともいう）として使用可能に構成されたプロジェクタ装置が特開平６−５９２３９号公報に開示されている。このプロジェクタ装置では、光源からの光が、熱線吸収フィルタ、コンデンサレンズ、液晶表示パネルおよび投影レンズをこの順で通過する光路を経て装置外部に射出されることにより、例えばビデオテープに記録された画像（ビデオデッキ等から出力される映像信号に基づく画像）がスクリーンに表示される。この場合、このプロジェクタ装置では、液晶表示パネルがパネルホルダに取り付けられると共に、パネルホルダがヒンジを介してケーシングに取り付けられている。これにより、ケーシングに対してパネルホルダを横倒しにして液晶表示パネルを上記の光路上から退避させることが可能となっている。したがって、このプロジェクタを照明器具として使用する際には、光透過率が低い液晶表示パネルを光路上から退避させて光源からの光の光量を低下させることなく投影レンズから射出することが可能となっている。
【特許文献１】特開平６−５９２３９号公報
【発明の開示】
【発明が解決しようとする課題】
【０００３】
ところが、従来のプロジェクタ装置には、以下の問題点がある。すなわち、このプロジェクタ装置では、照明器具として使用する際に液晶表示パネルを光路上から退避させる構成が採用されている。この場合、映像信号に基づく画像の表示に際しては、コンデンサレンズと液晶表示パネルとの位置関係、および液晶表示パネルと投影レンズとの位置関係が非常に重要であり、これらの位置関係が僅かにずれただけでも鮮明な画像を表示させるのが困難となる。一方、従来のプロジェクタ装置では、照明器具としての使用を考慮して可倒式のパネルホルダに液晶表示パネルが取り付けられているため、液晶表示パネル（パネルホルダ）がケーシングに対してがたつくことがある。このため、従来のプロジェクタ装置には、映像信号に基づく画像を鮮明に表示するのが困難であるという問題点が存在する。
【０００４】
また、この種のプロジェクタに搭載されている投影レンズは、スクリーン上の所定の領域に映像を表示させるのに適した開口率のレンズ群で構成されている。したがって、照明器具として使用する際に画像表示用の投影レンズから光を射出する従来のプロジェクタ装置では、ある程度狭い範囲を明るく照らしたり、広い範囲を照らしたりするのが困難のため、照明器具としての利便性に劣るという問題点が存在する。さらに、従来のプロジェクタ装置は、ビデオライトや懐中電灯等の携帯型電灯と比較して大型で重いため、この点においても照明器具としての利便性に劣るという問題点が存在する。
【０００５】
本発明は、かかる問題点に鑑みてなされたものであり、画像を鮮明に表示でき、しかも照明器具としての利便性に優れたプロジェクタを提供することを主目的とする。
【課題を解決するための手段】
【０００６】
上記目的を達成すべく本発明に係るプロジェクタは、携帯型電灯を取り外し可能に装着するための装着部を備え、当該装着部に装着した前記携帯型電灯からの光を用いて画像を投射可能に構成されている。
【０００７】
また、本発明に係るプロジェクタは、上記のプロジェクタにおいて、前記装着部に装着可能な前記携帯型電灯を備えている。
【０００８】
このプロジェクタによれば、装着部に装着した携帯型電灯からの光を用いて画像を投射可能に構成したことにより、液晶パネル等を移動させることなく、装着部から携帯型電灯を取り外すだけで携帯型電灯を単独で照明器具として使用することができる。したがって、このプロジェクタによって画像を表示する際には、液晶パネル等ががたつくおそれがない結果、装着部に装着した携帯型電灯からの光を用いて鮮明な映像を表示することができる。また、画像を表示させるための光学系（投射レンズ）と、携帯型電灯の光学系（リフレクタ等）とに別個の光学特性を有する光学系（レンズ群やリフレクタ等）を採用することができるため、画像の表示に適したレンズ群を画像表示用の光学系に採用して鮮明な画像を表示することができると共に、例えばスポット光から拡散光までの各種照明光を射出可能に携帯型電灯を構成して照明器具としての利便性を十分に向上させることができる。さらに、照明器具としての使用に際してプロジェクタ装置全体を持ち運びする必要のある従来のプロジェクタ装置とは異なり、装着部から携帯型電灯を取り外すことで、照明器具としての携帯型電灯を極めて容易に持ち運ぶことができる。加えて、光源ランプの球切れ時にランプユニット毎に交換する必要がある一般的なプロジェクタとは異なり、光源（この例では、携帯型電灯のランプ）を容易に交換することができる。この場合、装着部に装着可能な携帯型電灯を備えたことにより、大きさや光量等が異なる各種携帯型電灯のなかから装着部に装着可能な携帯型電灯を見つけ出す手間を省いて直ちに画像を表示投射することができる。
【０００９】
さらに、本発明に係るプロジェクタは、上記のプロジェクタにおいて、前記装着部が、入り口側よりも奥側が狭いテーパ状の挿入孔を形成する壁部を備え、当該入り口側から圧入される前記携帯型電灯を当該壁部で保持可能に構成されている。
【００１０】
このプロジェクタによれば、入り口側よりも奥側が狭いテーパ状の挿入孔を形成する壁部によって携帯型電灯を保持するように構成したことにより、挿入孔に携帯型電灯を挿入するだけで携帯型電灯を装着でき、挿入孔から引き抜くだけで携帯型電灯を照明器具として使用することができる。したがって、例えば保持用金具などを用いて携帯型電灯を固定する構成と比較して、短時間でしかも容易に携帯型電灯を着脱することができる。
【００１１】
また、本発明に係るプロジェクタは、上記のプロジェクタにおいて、前記装着部が、前記携帯型電灯を圧入可能な筒状に形成されると共に当該携帯型電灯の圧入によって当該装着部を拡径させるスリットが形成されている。
【００１２】
このプロジェクタによれば、装着部を筒状に形成すると共に携帯型電灯の圧入によって拡径するスリットを形成したことにより、拡径した装着部による弾性復帰力によって携帯型電灯を確実に保持することができる結果、装着孔からの脱落を確実に回避することができる。
【００１３】
さらに、本発明に係るプロジェクタは、上記のプロジェクタにおいて、前記装着部の前記携帯型電灯に当接する当接部が弾性体で構成されている。
【００１４】
このプロジェクタによれば、携帯型電灯に当接する当接部を弾性体で構成したことにより、装着時における携帯型電灯の傷付きを回避することができると共に、当接部の弾性変形によって携帯型電灯を一層確実に保持することができる。
【００１５】
また、本発明に係るプロジェクタは、上記のプロジェクタにおいて、前記携帯型電灯からの光を透過可能に構成された防塵カバーが前記装着部と投射光学系との間に配設されている。
【００１６】
このプロジェクタによれば、装着部と投射光学系との間に携帯型電灯からの光を透過可能な防塵カバーを配設したことにより、装着部から侵入した塵埃の投射光学系への付着を阻止できるため、投射光学系に付着した塵埃の映し出しを回避することができる結果、十分に鮮明な画像を表示することができる。
【発明を実施するための最良の形態】
【００１７】
以下、添付図面を参照して、本発明に係るプロジェクタの最良の形態について説明する。本発明に係るプロジェクタの一例であるプロジェクタ１は、図１に示すように、装着部２、投射光学系３、制御部（制御基板）４および携帯型電灯５を備え、装着部２に装着した携帯型電灯５からの光を用いて各種画像をスクリーン（図示せず）に表示可能に構成されている。この場合、携帯型電灯５は、プロジェクタ１の光源として使用可能な一般的な電灯であって、後述するようにプロジェクタ１の装着部２から取り外すことによって携帯型の照明器具（懐中電灯）として使用することができる。この携帯型電灯５は、一例として本体部５ａ内に一次電池または二次電池を収容可能に構成され、この電池を電源として頭部５ｂ内のランプ（図示せず）を点灯させて光を射出可能に構成されている。また、携帯型電灯５は、本体部５ａに対して頭部５ｂを回動させることによってランプに対するリフレクタ（図示せず）の位置を変化させて照射範囲を調整する照射範囲調整機構を備え、スポット光から拡散光までの各種光を射出することができるように構成されている。
【００１８】
装着部２は、図２，３に示すように、携帯型電灯５を挿入（圧入）するための挿入孔２ａが形成されて全体として円筒状に形成され、プロジェクタ１の筐体に固定されている。この場合、挿入孔２ａは、プロジェクタ１に対する携帯型電灯５の装着時に携帯型電灯５の頭部５ｂが挿入される入り口側よりも奥側が狭いテーパ状に形成されている。また、装着部２は、挿入孔２ａを形成する壁面２ｂによって携帯型電灯５（頭部５ｂ）を挿入孔２ａ内に保持するように構成されている。さらに、装着部２には、携帯型電灯５の装着時に装着部２を拡径させるスリット２ｃが携帯型電灯５の圧入方向（入り口側から奥側に向かう方向であって、図２に示す矢印の向き）に沿って例えば３つ形成されている。これにより、頭部５ｂの大きさ（直径）が異なる各種の携帯型電灯を挿入孔２ａに挿入して装着部２に装着することができるようになっている。さらに、挿入孔２ａを形成する壁面２ｂには、圧入された携帯型電灯５の頭部５ｂが当接する当接部１１が例えば３つ取り付けられている。この場合、当接部１１は、一例としてゴム（弾性体の一例）で形成されている。また、装着部２における上記の圧入方向奥側の端面には、一例としてガラス板で形成されて携帯型電灯５からの光を透過し、かつ挿入孔２ａからの塵埃の侵入を阻止する防塵カバー１２が取り付けられている。
【００１９】
投射光学系３は、映像信号等に基づく画像を表示させる光をスクリーン等（図示せず）に向けて投射する光学系であって、図１に示すように、集光レンズ２１、液晶パネル２２および投射レンズ２３を備えている。集光レンズ２１は、装着部２に装着された携帯型電灯５からの光を液晶パネル２２に集光する。液晶パネル２２は、制御部４の制御に従って携帯型電灯５からの光を変調する。投射レンズ２３は、液晶パネル２２によって変調された光をスクリーンに向けて射出する。この場合、投射レンズ２３は、画像の表示に適した開口率のレンズ群で構成されている。なお、投射光学系３の構成は、上記の例示に限定されるものではなく、レンズアレイ、重畳レンズ、調光部および偏光部などを必要に応じて適宜配設することができる。制御部４は、投射光学系３（液晶パネル２２）による光変調に対する制御処理などを実行する。
【００２０】
この場合、光源、液晶パネルおよび制御部を作動させるには大電力を要するため、一般的なプロジェクタは、商用交流を電源として用いて作動するように構成されている。一方、このプロジェクタ１は、携帯型電灯５からの光を用いて画像を投射する構成のため、従来の一般的なプロジェクタよりも、電力消費量が多い光源用の電源の分だけ、画像の表示に際して必要とされる電力が低減されている。このため、このプロジェクタ１では、商用交流に接続することなく画像を表示することができる。したがって、このプロジェクタ１では、図示しない二次電池を搭載して電源として使用して投射光学系３や制御部４を作動させるように構成され、商用交流に接続できない場所であっても画像を表示することができるように構成されている。なお、このプロジェクタ１では、上記の二次電池を電源とする構成だけでなく、例えば、ＵＳＢ規格やＩＥＥＥ１３９４規格に準じた接続ポートに接続ケーブルを介して接続可能に構成されてパーソナルコンピュータ等から接続ケーブルを介して画像データと共に直流電源を供給させて作動するように構成されている。また、このプロジェクタ１は、上記の二次電池のみならず、商用交流を電源として使用することも可能に構成されている。
【００２１】
次に、プロジェクタ１の使用方法について、図面を参照して説明する。プロジェクタ１による画像の表示に際しては、まず、装着部２に携帯型電灯５を装着する。具体的には、装着部２の挿入孔２ａに携帯型電灯５の頭部５ｂを図１に示す矢印の向きで挿入（圧入）する。この際に、テーパ状に形成された挿入孔２ａの壁面２ｂに当接部１１，１１，１１が取り付けられているため、携帯型電灯５を挿入孔２ａに挿入した際には、この当接部１１，１１，１１に頭部５ｂが当接する。次いで、その状態でさらに奥深くまで挿入されることで、スリット２ｃ，２ｃ，２ｃが拡がって装着部２が拡径させられる。この結果、装着部２が弾性復帰しようとする内向きの力によって当接部１１，１１，１１が携帯型電灯５の頭部５ｂを挟持するため、携帯型電灯５が装着部２の挿入孔２ａ内に保持される。この際に、頭部５ｂがゴム製の当接部１１，１１，１１に当接するため、挿入時における頭部５ｂの傷付きが回避されると共に、当接部１１，１１，１１の弾性変形によって挿入孔２ａからの携帯型電灯５の脱落が阻止される。
【００２２】
次いで、図示しない電源スイッチを操作して携帯型電灯５のランプを点灯させると共に、頭部５ｂに対して本体部５ａを回動させることで携帯型電灯５から平行光が射出されるように調整する。続いて、制御部４が液晶パネル２２を制御して例えばパーソナルコンピュータからの映像信号に基づく光変調を開始させる。この際に、携帯型電灯５からの光が、防塵カバー１２、集光レンズ２１、液晶パネル２２および投射レンズ２３を順に通過して図示しないスクリーンに投射される。この場合、携帯型電灯５からの光が液晶パネル２２を通過するときに光変調されることにより、映像信号に基づく画像がスクリーンに表示される。また、このプロジェクタ１では、集光レンズ２１、液晶パネル２２および投射レンズ２３が可動することなくプロジェクタ１の筐体に固定されているため、液晶パネル２２等のがたつきを招くことなく、鮮明な画像がスクリーンに表示される。
【００２３】
一方、携帯型電灯５を照明器具として使用する際には、プロジェクタ１の電源を遮断した状態で、図４に示すように、装着部２から携帯型電灯５を取り外す。この際には、装着部２から携帯型電灯５を挿入方向とは逆向きに移動させる（挿入孔２ａから引き抜く）。次いで、電源スイッチを操作して携帯型電灯５のランプを点灯させると共に、本体部５ａに対して頭部５ｂを回動させて使用目的に応じた照射範囲にランプの光が照射されるように調整する。これにより、携帯型電灯５からの光によって周囲が明るく照らされる。
【００２４】
このように、このプロジェクタ１によれば、装着部２に装着した携帯型電灯５からの光を用いて画像を投射可能に構成したことにより、液晶パネル２２等を移動させることなく、装着部２から携帯型電灯５を取り外すだけで携帯型電灯５を単独で照明器具として使用することができる。したがって、携帯型電灯５を照明器具として使用する際に液晶パネル２２等を移動させる必要がないため、プロジェクタ１によって画像を表示する際には、液晶パネル２２等ががたつくおそれがない結果、装着部２に装着した携帯型電灯５からの光を用いて鮮明な映像を表示することができる。また、画像を表示させる投射光学系３（投射レンズ２３）と、携帯型電灯５の照明光学系（リフレクタ等）とに別個の光学特性を有する光学系（レンズ群やリフレクタ等）を採用することができるため、画像の表示に適したレンズ群を投射光学系３に採用して鮮明な画像を表示することができると共に、例えばスポット光から拡散光までの各種照明光を射出可能に携帯型電灯５を構成して照明器具としての利便性を十分に向上させることができる。さらに、照明器具としての使用に際してプロジェクタ装置全体を持ち運びする必要のある従来のプロジェクタ装置とは異なり、装着部２から携帯型電灯５を取り外すことで、照明器具としての携帯型電灯５を極めて容易に持ち運ぶことができる。加えて、光源ランプの球切れ時にランプユニット毎に交換する必要がある一般的なプロジェクタとは異なり、光源（この例では、携帯型電灯５のランプ）を容易に交換することができる。この場合、装着部２に装着可能な携帯型電灯５を備えたことにより、大きさや光量等が異なる各種携帯型電灯のなかから装着部２に装着可能な携帯型電灯を見つけ出す手間を省いて直ちに画像を表示投射することができる。
【００２５】
また、このプロジェクタ１によれば、携帯型電灯５の圧入方向における入り口側よりも奥側の方が狭いテーパ状の挿入孔２ａを形成する壁部２ｂによって携帯型電灯５を保持するように装着部２を構成したことにより、携帯型電灯５を挿入孔２ａに挿入（圧入）するだけで携帯型電灯５を装着でき、挿入孔２ａから引き抜くだけで携帯型電灯５を照明器具として使用することができる。したがって、例えば保持用金具などを用いて携帯型電灯５を固定する構成と比較して、短時間でしかも容易に携帯型電灯５を着脱することができる。
【００２６】
さらに、このプロジェクタ１によれば、装着部２を筒状に形成すると共に携帯型電灯５の圧入によって拡径するスリット２ｃ，２ｃ，２ｃを形成したことにより、拡径した装着部２による弾性復帰力によって携帯型電灯５を確実に保持することができる結果、装着部２からの脱落を確実に回避することができる。
【００２７】
また、このプロジェクタ１によれば、携帯型電灯５に当接する当接部１１，１１，１１を弾性体（この例では、ゴム）で構成したことにより、装着時における携帯型電灯５の傷付きを回避することができると共に、当接部１１，１１，１１の弾性変形によって携帯型電灯５を一層確実に保持することができる。
【００２８】
さらに、このプロジェクタ１によれば、装着部２と投射光学系３との間に携帯型電灯５からの光を透過可能な防塵カバー１２（この例では、ガラス板）を配設したことにより、装着部２から侵入した塵埃の投射光学系３への付着を阻止できるため、投射光学系３に付着した塵埃の映し出しを回避することができる結果、十分に鮮明な画像を表示することができる。
【００２９】
なお、上記のプロジェクタ１では、一次電池または二次電池を電源とする携帯型電灯５を光源として用いる構成を採用しているが、装着部２に装着する携帯型電灯はこれに限定されず、例えば、ＵＳＢ規格またはＩＥＥＥ１３９４規格に準じた接続ポートに接続可能に構成されてパーソナルコンピュータ等からの直流電源によって点灯するポータブルライトを使用することもできる。また、上記のプロジェクタ１では、接続ケーブルを介してパーソナルコンピュータ等から画像データと共に直流電源が供給されて作動可能に構成されているが、二次電池や商用交流を電源として使用しているときに、光源として使用する携帯型電灯や、画像データの供給元であるパーソナルコンピュータおよび携帯端末等に電源を供給可能に構成することもできる。さらに、上記のプロジェクタ１では、ゴムで形成した当接部１１，１１，１１が装着部２の挿入孔を形成する壁面２ｂに取り付けられているが、本発明における当接部を構成する弾性体はゴムに限定されず、例えば、発泡樹脂でもよく、また、当接部１１に代えて、装着部２（本発明における当接部を含む部位）をゴムで形成する構成を採用することもできる。さらに、本発明における当接部として板ばねを取り付けて、板ばねの弾性変形によって携帯型電灯５を挿入孔２ａ内に保持する構成を採用することもできる。また、本発明における防塵カバーは、ガラス板に限定されず、例えばアクリル樹脂やＡＢＳ樹脂に代表される透明プラスチック等で形成することができる。
【図面の簡単な説明】
【００３０】
【図１】プロジェクタ１の構成を示す構成図である。
【図２】装着部２の構成を示す断面図である。
【図３】図２におけるＡ−Ａ線断面図である。
【図４】携帯型電灯５を取り外した状態のプロジェクタ１の構成図である。
【符号の説明】
【００３１】
１  プロジェクタ、２  装着部、２ａ  挿入孔、２ｂ  壁面、２ｃ  スリット、５  携帯型電灯、１１  当接部、１２  防塵カバー
【図１】
2006162831.tif 000003
【図２】
2006162831.tif 000004
【図３】
2006162831.tif 000005
【図４】
2006162831.tif 000006